(57)【要約】突出構造（３０，１１０，５３０）が、ボトル（１０）又は予成形品（２０）のネック（３２，５３２）と、又はクロージャー（１００，２００，３００）と、一体的に形成されている。突出構造は、ネック又はクロージャー本体（１０２）の回りに延出しているリング状要素（３４，１１２，５３４）を備えていて、そして、複数の個別のウエブ形成体（４０，１２０，５４０）によりそこから支持されている。隣接したウエブ形成体は突出構造中にそれらの間に付け足しの細長い開口（４２，１１６，５４２）を規定する。【選択図】図１
2013541470.tif 000002
【特許請求の範囲】
【請求項１】
ボトル又はボトル予成形品であって、ボトル／予成形品のネックに配置され、又は隣接されて、それと一体的に形成されている突出構造を備えていて、前記突出構造は前記ネックの回りに延出しているとともに複数の個別のウエブ形成体によりそこから支持されているリング状要素を備えていて、隣接したウエブ形成体は前記突出構造中でそれらの間に開口を規定している、ボトル又はボトル予成形品。
【請求項２】
前記隣接したウエブ構造体は、前記突出構造中でそれらの間に細長い開口を規定している、請求項１中に請求されている如きボトル又はボトル予成形品。
【請求項３】
前記突出構造はさらに、前記ネックを取り囲むよう前記ネックに配置されている又は隣接されているスリーブを備えていて、前記複数の個別のウエブ形成体は前記スリーブの外側壁と一体的に形成されているとともにそこから外方に突出している、請求項１又は２中に請求されている如きボトル又はボトル予成形品。
【請求項４】
前記ウエブ形成体の夫々は：
（ｉ）．前記リング状要素を支持する為に、接近して離間されていて対向している１対のウエブ；
（ｉｉ）．前記スリーブの幅に匹敵する幅を有している単一の壁、
を備えている、前述した請求項１乃至３の何れか１項中に請求されている如きボトル又はボトル予成形品。
【請求項５】
（ｉ）において、個々の要素支持ウエブは、前記開口中に対面している凹状の側方表面を規定している、請求項４中に請求されている如きボトル又はボトル予成形品。
【請求項６】
前記ウエブ形成体の個々の使用時における下側表面が、人間工学的な湾曲を規定していて、そこでは使用者の指が使用時において前記下側表面に対し密接に受け入れられることが出来る、前述した請求項１乃至５の何れか１項中に請求されている如きボトル又はボトル予成形品。
【請求項７】
前記突出構造が、使用者の指の十分な輪郭が前記突出構造の前記下側と係合して前記ボトルが運搬されることが出来ることを許容するよう、前記ネックから十分に外方に突出している、前述した請求項１乃至６の何れか１項中に請求されている如きボトル又はボトル予成形品。
【請求項８】
個々の前記ウエブ形成体が、前記突出構造の回りで隣接したウエブ形成体から等間隔に離間されている、前述した請求項１乃至７の何れか１項中に請求されている如きボトル又はボトル予成形品。
【請求項９】
ボトルの開口を閉塞する為のクロージャーであって、前記クロージャーが、前記開口を取り囲むとともに閉塞するよう前記ボトルに取り付け可能な本体と、そして、前記本体と一体的に形成されている突出構造と、を備えていて、前記突出構造が、前記本体の回りを延出するとともに複数の個別のウエブ形成体によりそこから支持されているリング状要素を備えていて、隣接している前記ウエブ形成体が前記突出構造体中でそれらの間に細長い開口を規定している、クロージャー。
【請求項１０】
個々の前記ウエッブ形成体が、前記本体の外側側壁から、上に遠ざかり又は側方に突出している、請求項９中に請求されている如きクロージャー。
【請求項１１】
前記ウエブ形成体が前記本体の前記外側側壁から上に遠ざかり突出している時、前記ウエブ形成体の個々の使用時における下側表面が人間工学的な湾曲を規定していて、そこでは使用者の指が使用中に前記下側表面に対し密接に受け入れられることが出来る、請求項９又は１０中に請求されている如きクロージャー。
【請求項１２】
前記突出構造は、そこに前記クロージャーが取り付けられているボトルを運搬することが出来るように前記突出構造の前記下側に使用者の指の十分な輪郭が係合することを許容するよう、前記本体から十分に外に突出している、請求項９乃至１１の何れか１項中に請求されている如きクロージャー。
【請求項１３】
前記ウエブ形成体の個々が個別のウエブである、請求項９乃至１２の何れか１項中に請求されている如きクロージャー。
【請求項１４】
前記クロージャーが使用時において立ち上げられた姿勢にある時、そして、それが側方立ち上がりで見られた時に、前記突出構造は前記本体の上壁と大略的に一直線状に整列されている、請求項９乃至１３の何れか１項中に請求されている如きクロージャー。
【請求項１５】
前記ウエブ形成体の個々は、前記突出構造の回りで隣接したウエブ構造体から等間隔で離間されている、請求項９乃至１４の何れか１項中に請求されている如きクロージャー。
【請求項１６】
前記クロージャーの前記本体が、いたずら防止バンドを備えているとともに、前記突出構造が前記いたずら防止バンドから外に突出するよう一体的に形成されている、請求項９乃至１５の何れか１項中に請求されている如きクロージャー。
【請求項１７】
前記クロージャーが取り外されている時に前記いたずら防止バンドが前記ボトル上に保持されていて、それにより前記突出構造が前記ボトルに保持されている、請求項１６中に請求されている如きクロージャー。
【請求項１８】
前記クロージャーがそこから取り外された時にボトル上の裏に残っているバンドとつなぎ縄を介して連結されている、請求項９乃至１７の何れか１項中に請求されている如きクロージャー。
【発明の詳細な説明】
【技術分野】
【０００１】
改良されたボトル，ボトルの為の改良された予成形品，そして、ボトルの開口を閉塞する為の改良されたクロージャーが開示されている。
【背景技術】
【０００２】
（この出願人に対しての）国際公開ＷＯ２００９／０６７７８４号公報は、ボトルの為のクロージャーを開示している。クロージャーはクロージャーから外方にそしてクロージャーの回りに延出した複数の突起を有していて、それらの幾つか又は全ては（例えば、クロージャーに対しランヤード（lanyard）を留める為に）それらを通して延出している複数の開口を有して良い。（例えば、それがボトルに取り付けられる時に）クロージャーの人の手による緊密な握りを容易とするよう、人間工学的な湾曲が複数の突起の下に設けられている。国際公開ＷＯ２００９／０６７７８４号公報はまた、ボトル上に採用されているが複数の突起の同様な形態を開示している。
【０００３】
国際公開ＷＯ  ０２／３６４５４号公報は、一次ボトル閉塞蓋（９）の為の二次蓋（２０）を開示している。二次蓋（２０）はボトルに対する開口の閉塞の為に設計されているのではなく、代わりに、それに展開可能なハンドル機能を設けるよう一次蓋（９）に対し設けられている。これに関しては、二次蓋（２０）のリング（２２）が領域（２３）の回りに枢動するよう縁（２４）で手動で係合されていて、そしてこれが壊れやすいリブ（２５）を破壊させ、リング（２２）が一次蓋（９）の為の揺動取っ手として機能することを許容する。
【０００４】
背景技術に対する参照は、この技術が、オーストラリア又は他の場所において、当該技術分野に習熟した人の普通の一般的な知識の一部を形成することの手がかりを構成していない。
【発明の概要】
【０００５】
第１の概念に従えば、改良されたボトル，及び前記ボトルの為の改良された予成形品（例えば、所定のボトル形状／形式へと吹き込み成形されることが出来る）が開示されている。ボトル／予成形品は、ボトル／予成形品のネックに配置され、又は隣接されて、それと一体的に形成されている突出構造を備えている。
【０００６】
前記第１の概念に従えば、前記突出構造は前記ネックの回りに延出しているリング状要素を備えている。前記リング状要素は、複数の個別のウエブ形成体によりそこから支持されている。前記突出構造中では、隣接したウエブ形成体はそれらの間に開口を規定している。
【０００７】
前記リング状要素の割れていない構成（unbroken configuration）は、前記ウエブ形成体とともに、ともに働いて、前記突出構造に対し寸法的な強度（integrity）を提供することが分かっている。これらは、前記突出構造が、衝撃抵抗、いわゆる「落下試験」要求，その他の如き、ボトルの為のしばしば厳重な性能基準と合致することを可能にしている。これらはまた、ランヤード（lanyard）の如き物が突出構造を介して前記ボトルに留められることを可能にし、そして、そのように留められているボトルが長い期間に渡り「手荒な」取扱い（例えば、揺動（swinging），強く締める（tugging），引っ張る（pulling），その他）に耐えさせる。ボトルが十分に中身を詰められている時、前記リング状要素の割れていない構成（unbroken configuration）は、変形（deformation），せん断（shearing），捩れ（twisting），その他に耐えられることが分かっている。
【０００８】
前記リング状要素の割れていない構成（unbroken configuration）は、国際公開第ＷＯ  ２００９／０６７７４８号公報中のボトル上で採用されている個別の突出要素と対比される。
【０００９】
一つの実施形態においては、前記隣接したウエブ構造体は、前記突出構造中でそれらの間に細長い開口を規定するよう離間されることが出来る。例えば、個々のウエブ構造は、前記突出構造の回りで隣接したウエブ形成体から等間隔で離間されることが出来る。
【００１０】
一つの実施形態においては、５つ又は６つの等間隔で離間されたウエブ形成体が突出構造中に採用されることが出来る。ここの場合においては、細長い開口の提供は、開口の使用を容易にする（例えば、ランヤードをボトルに留める時）。さらには、開口を細長くすることにより、より多くの材料が前記突出構造から取り除かれ、従って、前記構造を「軽量化する」。これに関しては、もしもさらなる構造がボトル（例えば、多くの数が製造されるプラスチック製の日用型ボトル）中に採用されるならば、付加される追加の重量は出来る限り減少させることが望ましく、同時に追加の構造の寸法的な安定性の提供及び構造的な強度の維持が望まれる。
【００１１】
一つの実施形態においては、前記突出構造はさらに、前記ネックを取り囲むよう前記ネックに配置されている又は隣接されているスリーブを備えることが出来る。このようなスリーブは、前記リング状要素及びウエブ形成体を前記ボトルのネックから隔離することが出来る。このようなスリーブはまた、前記突出構造の成形を容易にでき、そして、さらに、構造的な強度（例えば、衝撃，落下，その他に対するより良い抵抗）を強化することが出来る。これに関しては、前記スリーブのより低い部分が、現在の成形された形式のボトル／予成形品中に採用されている現在のネック支持フランジにとって代わるよう設計されることが出来、このようなフランジは成形を容易にしているとともに、成形型からのボトル／予成形品の取り除きを容易にしている。
【００１２】
この実施形態においては、前記複数の個別のウエブ形成体は前記スリーブの外側壁と一体的に形成されていることが出来るとともにそこから外方に突出することが出来る。
【００１３】
もう１つの実施形態においては、前記スリーブは、複数の個別のスリーブ支持ウエブにより前記ボトルのネックからそれ自身が離間されて良い。個々の支持ウエブは、前記ボトルのネックと前記スリーブの内側壁との間を延出するよう一体的に形成されることが出来る。個々の支持ウエブはまた、前記突出構造の構造的な強度をさらに向上させるよう、前記ウエブ形成体と一直線状に整列される（即ち、ここでは、それらは前記スリーブの前記外側壁から外方に突出する）ことが出来る。もう１つの実施形態においては、前記スリーブの高さが、スリーブ支持ウエブが無くされることが出来るように削除されることが出来る。
【００１４】
もう１つの実施形態においては、前記ウエブ形成体の夫々が、前記リング状要素を支持する為に、接近して離間されていて対向している１対のウエブを備えることが出来る。これ等の個々のウエブは、前記突出構造を更に「軽量化」することができるとともに、同時に、前記突出構造の寸法的な安定性を提供し、そして構造的な強度を維持させる。この形態においては、個々の要素支持ウエブは、前記開口中に対面している凹状の側方表面を規定することが出来、この湾曲は個々のウエブの構造的な強度に対し貢献する。
【００１５】
代わりの実施形態においては、前記ウエブ形成体の夫々は単一の壁を備えて良い。個々のこのような単一壁には、前記スリーブの幅に匹敵する（例えば、それに接近した又はそれと同じ）幅が設けられて良い。
【００１６】
１つの実施形態においては、前記ウエブ形成体の個々の使用時における下側表面が、人間工学的な湾曲を規定していることが出来る（即ち、設けられていることが出来る）。この湾曲は、使用者の指が使用時において前記下側表面に対し密接に受け入れられることが出来ることを可能にしている。これは、使用者によるボトルの人力による運搬を強化できる（例えば、ボトルのネックがより快適に使用者の指の間に座ることが出来る）。
【００１７】
さらに、一つの形態においては、前記突出構造が、使用者の指の十分な輪郭が前記突出構造の前記下側と係合して前記ボトルが、使用者の指の間で使用者の指により、より容易に運搬されることが出来ることを許容するよう、前記ネックから十分に外方に突出して形成されることが出来る。
【００１８】
第２の概念には、ボトルの開口を閉塞する為のクロージャーが記載されている。前記第２の概念の前記クロージャーは、前記第１の概念の為に規定されていた突出構造を有しているボトルに採用されて良い（又は採用されなくて良い）。
【００１９】
この第２の概念に従えば、前記クロージャーは、前記開口を取り囲むとともに閉塞するよう前記ボトルに取り付け可能な本体を備える。突出構造が前記本体と一体的に形成されていて、前記本体の回りを延出するとともに複数の個別のウエブ形成体によりそこから支持されているリング状要素を備えている。隣接している前記ウエブ形成体が、前記突出構造体中でそれらの間に細長い開口を規定している、
前記細長い開口の提供は、前記クロージャーに対する（レイヤードの如き）フック状の装置の取り付けの容易さを許容する。前記細長い開口はまた、前記クロージャーを「軽量化する」手助けをする。さらに、前記細長い開口は、前記リング状要素に対する著しい外観を与えるとともに前記リング状要素の割れていない周辺を目立たたさせる。これは、国際公開第ＷＯ  ２００９／０６７７４８号公報中のエンクロージャー上に採用されている突出要素と対比される。
【００２０】
クロージャー上に採用された時、前記リング状要素及び前記ウエブ形成体はともにまた、前記突出構造に寸法的な強度を提供し、前記突出構造が、衝撃抵抗，そして「落下試験」要求，その他の如きボトル上の使用時における厳しい性能基準に合致させることが出来る。これらはともにまた、長い期間に渡る「手荒な」取扱い（例えば、揺動（swinging），強く束ねる（tugging），引っ張り（pulling），その他から）「留められてる」突出構造を耐えられるように出来る。
【００２１】
クロージャーの一つの実施形態においては、個々の前記ウエッブ形成体が、前記本体の外側側壁から、上に遠ざかり又は側方に突出している。ウエブの突起が単に又は本質的に側方である場合には、なおより多くの材料がウエブ形成体から取り除かれることが出来て、前記クロージャーをさらに軽量化できる。しかしながら、ウエブ形成体の増大された厚さ及び造形は、突出構造の強度を確保する為に要求されて良い。
【００２２】
（例えば、前記クロージャーがボトルに対し設けられた時に）搬送を容易とする為に、そして前記ウエブ形成体が前記本体の壁から上に遠ざかり突出している場合には、前記ウエブ形成体の個々の使用時における下側表面に人間工学的な湾曲が設けられていることが出来る。この湾曲は、使用者の指が使用中に前記下側表面に対し密接に受け入れられることを可能にする。
【００２３】
（例えば、前記クロージャーがボトルに設けられている時に）運搬をまた容易にする為に、前記突出構造は、前記突出構造の前記下側に使用者の指の十分な輪郭が係合することを許容するよう、前記クロージャーの前記本体から十分に外に突出して形成されることが出来る。
【００２４】
前記クロージャーの一つの実施形態においては、前記ウエブ形成体の個々が個別のウエブを備えることが出来る。前記クロージャーの１つの形態においては、前記ウエブ形成体の個々は、前記突出構造の回りで隣接したウエブ構造体から等間隔で離間されていることが出来る。
【００２５】
前記クロージャーの一つの実施形態においては、前記クロージャーが使用時において立ち上げられた姿勢にある時、そして、それが側方立ち上がりで見られた時に、前記突出構造は前記本体の上壁と大略的に一直線状に整列されていることが出来る。
【００２６】
一つの実施形態においては、前記クロージャーの前記本体がいたずら防止バンド（tamper band）を備えていることが出来る。この実施形態においては、そして、前記クロージャーの本体上に前記突出構造を形成する代わりとして、前記突出構造が前記いたずら防止バンドから外に突出するよう一体的に形成されていることが出来る。従って、前記いたずら防止バンドが前記ボトル上に保持されている形式であって、そして、前記クロージャーが取り外されている時に、前記突出構造が前記ボトルに保持されていることが出来る。
【００２７】
代わりの実施形態においては、前記クロージャーがそこから取り外された時にボトル上の裏に残っているバンド（例えば、いたずら防止バンド）とつなぎ縄を介して連結されていることが出来る。
【図面の簡単な説明】
【００２８】
発明の概要中に開示されている如きボトル，予成形品，そしてクロージャーの範囲に含まれる如何なる他の形態にも拘わらず、予成形品，ボトル，そしてクロージャーの特定の実施形態が添付の図面を参照しながら例示のみとしてこれから記載される。
【図１】図１のＡは、ボトルの為の予成形品の平面図であり；図１のＢは、ボトルの為の予成形品の側面図であり；図１のＣは、ボトルの為の予成形品の下平面図であり；図１のＤは、ボトルの為の予成形品の断面図であり；図１のＥは、予成形品の斜視図であり；図１のＦは、予成形品の別の斜視図であり；そして、図１のＧは、予成形品のさらに別の斜視図である。
【図２Ａ】図２Ａは、図１の予成形品から吹き込み成形されたボトルの実施形態の平面図である。
【図２Ｂ】図２Ｂは、図１の予成形品から吹き込み成形されたボトルの実施形態の側面図である。
【図２Ｃ】図２Ｃは、図１の予成形品から吹き込み成形されたボトルの実施形態の斜視図である。
【図２Ｄ】図２Ｄは、図１の予成形品から吹き込み成形されたボトルの実施形態の断面図である。
【図２Ｅ】図２Ｅは、ボトルのネックの詳細図である。
【図２Ｆ】図２Ｆは、ボトルのネックの異なった詳細図である。
【図３】図３のＡは、図１のものから変更された予成形品から吹き込み成形されたボトルのもう１つの実施形態の側面図であり；図３のＢは、図３のＡのボトルのネックの詳細図であり；そして、図３のＣは図３のＡのボトルのネックの別の詳細図である。
【図４】図４のＡは、図１のものから変更された予成形品から吹き込み成形されたボトルのさらにもう１つの実施形態の側面図であり；図４のＢは、図４のＡのボトルのネックの詳細図であり；そして、図４のＣは、図４のＡのボトルのネックの別の詳細図である。
【図５】図５のＡは、ボトルの開口を閉塞する為のクロージャーの実施形態の側面図であり；図５のＢは、ボトルの開口を閉塞する為のクロージャーの実施形態の下側斜視図であり；そして、図５のＣは、ボトルの開口を閉塞する為のクロージャーの実施形態の上側斜視図である。
【図６】図６のＡは、ボトルの開口を閉塞する為のクロージャーのもう１つの実施形態の側面図であり；図６のＢは、ボトルの開口を閉塞する為のクロージャーのもう１つの実施形態の下側斜視図であり；そして、図６のＣは、ボトルの開口を閉塞する為のクロージャーのもう１つの実施形態の上側斜視図である。
【図７】図７のＡは、ボトルの開口を閉塞する為のクロージャーのさらにもう１つの実施形態の側面図であり；図７のＢは、ボトルの開口を閉塞する為のクロージャーのさらにもう１つの実施形態の下側斜視図であり；そして、図７のＣは、ボトルの開口を閉塞する為のクロージャーのさらにもう１つの実施形態の上側斜視図である。
【図８】図８のＡは、ボトルネックの、又はボトルの為の予成形品の為のネックの、上方細部のもう１つの実施形態の側面図であり；図８のＢは、ボトルネックの、又はボトルの為の予成形品の為のネックの、上方細部のもう１つの実施形態の平面図であり；図８のＣは、ボトルネックの、又はボトルの為の予成形品の為のネックの、上方細部のもう１つの実施形態の別の側面図であり；図８のＤは、ボトルネックの、又はボトルの為の予成形品の為のネックの、上方細部のもう１つの実施形態の下側平面図であり；図８のＥは、ボトルネックの、又はボトルの為の予成形品の為のネックの、上方細部のもう１つの実施形態の上方斜視図であり；図８のＦは、ボトルネックの、又はボトルの為の予成形品の為のネックの、上方細部のもう１つの実施形態の下側斜視図であり；図８のＧは、図８のＢの線Ｂ−Ｂに沿った断面図であり；そして、図８のＨは、図８のＢの線Ａ−Ａに沿った断面図である。
【図９】図９は、そこにランヤードがついているとともにそこに配置されている使用者の指が概略的に示されている図２のボトルの側面図である。
【発明を実施するための形態】
【００２９】
図１及び図２は、変更された予成形品１０（図１）及び変更されたボトル２０（図２）を示していて、ボトル２０は予成形品１０から吹き込み成形されている。ボトル／予成形品はネック適用体３０の形状をした突出構造を備えていて、ネック適用体３０には、ボトル／予成形品の外方にねじが形成されているネック３２が配置されている（又は隣接されている）とともに一体的に形成されている。ネック適用体３０は、その下側に使用者の指Ｆの十分な輪郭が係合する（図９参照）ことを許容して中身の入っているボトルを使用者の指の間により容易に運搬することが出来るよう、ネック３２から十分に外に突出するよう形成されている。また、ネック適用体３０は、そこにフック状の装置（例えば、ランヤードＬのフックＨ−図９参照）を取り付けることを容易にするよう形成されている。これは、（使用者についての又はその周囲での−個人による携帯性の如き）携帯性を含んでいる、使用時におけるボトル取り扱いを容易にする。
【００３０】
ネック適用体３０は、ネック３２の回りに延出したリング形成体３４を備える。リング形成体３４は、割れておらず（連続している）、そして、５つの等距離に離間している別々のウエブ構造４０の形状をした複数の別々のウエブ形成体によりネックから支持されている。５つのこのような構造は、ネック適用体３０に対する十分な構造的一体性を提供する一方で適用体３０の全重量に対し大きく付加しないことが分かっている。隣接したウエブ構造４０はそれらの間に細長い開口４２を規定し、個々の開口は丸められている両端を有している。個々の開口４２は、リング形成体３４の湾曲に従って湾曲するよう形成されているが、例えば異なった美的及び機能的な効果の為に他の形態が採用されて良い。
【００３１】
図２のＥ及び図２のＦ中に最も良く示されている如く、個々のウエブ構造４０は、１対の接近して離間されていて対向されている壁４０を備えている。個々の壁は、開口４２中に対面している凹状の側表面４５を規定していて、この湾曲は開口４２の両端で丸められて終わっていて、そしてまた個々の壁の構造的な強さに貢献している。さらに、壁４４の厚さは、ネック適用体３０を「軽量化」することが出来ると同時にネック適用体に対し寸法的な安定性及び構造的な強さ提供するよう、可能な限り減少されている。
【００３２】
図１及び図２（そして、図１のＤ，図２のＤ，そして図２のＥ中に最も良く示されている如く）の実施形態においては、壁４４の個々の下側表面４６には人間工学的な湾曲が設けられている。この湾曲は、使用者の指Ｆが使用時に下側表面に対し密接に受け入れられる（図９参照）ことが出来るよう形成されている。これは、使用者による中身の入ったボトルの手による運搬を強化でき、ここにおいてはボトルのネックが使用者の指の間により密接に適合することが出来る。
【００３３】
リング形成体３４及びウエブ構造４０はともに、ネック適用体３０に対し寸法的な一体性と強度とを提供するよう機能する。これに関し、これ等はネック適用体が、衝撃抵抗，「落下−試験」要求，寸法安定性，時間経過に渡る摩耗−及び−裂け抵抗，その他の如き、ボトルの為に予め設定されている厳しい性能基準に合致することを許容している。これ等はまた、ボトルの手による（指による）運搬を許容する。その構造及び形態は、掴んだ、及び吊るした又は運搬したボトルが、長期間に渡り（例えば、揺らされたり、強く拘束されたり、引かれたり等から）「手荒に」取り扱われることに耐えることが出来る。
【００３４】
開口４２の細長い形態は、ボトルに対するランヤード（又は他の解放可能な形式のフック）の容易な留めを行わせる。さらには、開口を細長くすることにより、結果として生じるネック適用体３０からの成形の間により多くの材料が「除去され」、従ってこの構造を「軽量」にする。これに関し、図示されている如き構造が、例えばプラスチックの日常型のボトル（即ち、多くの数が生産される）に採用された時に、ボトルに対して追加される更なる重量を出来る限り多く減少させるのに好ましく、同時に、寸法的な安定性を提供するとともに構造的な強度を維持する。最小の数のウエブ構造４０，壁及びリング形成体３４の最小の厚さ，そして最大の開口長さを伴ったネック適用体３０を設計することにより、寸法安定性及び構造的な強度対軽量化という競合する目的が合致されることが出来る。
【００３５】
成形工程をさらに強化し、そして、ネック適用体３０に対し更なる寸法安定性及び構造的な強度を提供する（例えばそれは衝撃，落下，その他に対しより良く抵抗する）には、ネック適用体３０が、それを取り囲むようネック３２に対し成形されているスリーブ４７を備える。スリーブはまた適用体３０をネック３２から離し、それは絶縁性の利点を有する。
【００３６】
ウエブ構造４０は、スリーブ４７の外側壁４８と一体的に形成されているとともに外側壁４８から外方に突出している。スリーブは一体的に形成されているが、スリーブ支持ウエブ５０によりネック３２から離間されている。支持ウエブ５０はボトルネックとスリーブの内側壁との間を延出し、そして、ウエブ構造４０と一直線状に配列されている。また、この一直線状の配列はさらに、リング形成体３４上の衝撃力がネックへと直に伝達される衝撃及び落下，その他への抵抗を向上させる。スリーブ４７の下方部分での配置はまた、現存する成形型ボトル／予成形品中に採用されている現存するネック支持フランジを置き換えるよう設計されている。このようなフランジは、成形と同様に型からのボトル／予成形品の除去を容易にする。スリーブは、ウエブ，開口，その他を形成する為に型中に採用されている摺動コアの使用を容易にすることを含む、このような機能性を「交換」することが出来る。
【００３７】
通常のボトルキャップを、ボトルネック３２のねじが切られている上端上に分離可能に螺合させ、そして螺合を解除させることが出来る。代わりに、図５乃至図７の種々のキャップ１００，２００，そして３００を、ボトル２０に螺合させることが出来る。
【００３８】
図３のＡ乃至図３のＣを今度は参照すると、そこでは同様な参照番号が同じ又は同様な部位を指摘する為に使用されていて、ボトル２０´は図１及び図２中に示されているものから僅かに変更されている予成形品から吹き込み成形されている。
【００３９】
この実施形態においては（そして図３のＢ及び図３のＣ中に最も良く示されている如く）、壁４４の個々の下側表面における人間工学的な湾曲が取り除かれていて、そして、真っ直ぐな縁６０により交換されている。これは、壁の下側表面をより少なく人間工学的にするとはいうものの、壁４４中に僅かに多くの材料を提供し、従って、その強度を増大させる。他の概念においては、ネック適用体３０は、図１及び図２の為に前に記載されていたものと本質的に同じように構成されていて機能する。
【００４０】
図４のＡ乃至図４のＣを今度は参照すると、そこにおいては、同様な参照番号が同じ又は同様な部位を指摘する為にまた使用されていて、図１及び図２中に示されていたのとはまた僅かに変更されている予成形品から吹き込み成形されているボトル２０´´が示されている。
【００４１】
この実施形態においては（そして、図４のＢ及び図４のＣ中に最も良く示されている如く）、壁４４が取り除かれていて、そしてウエブ形成体７０の異なった形式により交換されている。形成体７０は、分割基台７４から突出している単一の橋状体７２を備えている。これは、強度を幾分か減少させるが、ウエブ構造４０中の材料を大きく減少させ、軽量化に貢献する。さらには、人間工学的ではない湾曲Ｃが形成体７０中に採用されている。他の概念においては、ネック適用体３０は、図１及び図２の為に前に記載されていたものと本質的に同じように構成されているとともに機能する。
【００４２】
今度は図５のＡ乃至図５のＣを参照すると、クロージャーが、ボトル（例えば、ボトル２０，２０´，２０´´の１つの如き従来のボトル又は変更されたボトル）の開口を閉塞する為のキャップ１００の形状で示されている。キャップ１００は、キャップ側壁１０６の内側上に形成されている内方ねじ１０４を介しボトルに螺合されることが出来る本体１０２を備える。ボトルに対し螺合された時、側壁１０６は対応している外方ねじが切られているボトルネック（例えネック３２）を取り囲み、そしてそれに固定し、キャップ上壁１０８がボトルの開口を覆いそして密封する（例えば、内側シール１０９がボトルネックのリム上に下方に支持するとともに密封する）。
【００４３】
キャップ適用体１１０の形状における突出構造は、本体１０２と一体的に形成されていて、そして、本体１０２の回りに延出したリング１１２の形状のリング状要素を備える。リング１１２はアーム１１４の形状をした多数のウエブ形成体により本体から支持されている。個々のアームはキャップ適用体１１０の回りで隣接したアームから等間隔に離れている。５つのこのようなアームが示されていて、使用時にキャップに対して十分な構造的強度を提供することが分かっている。図５Ａ中にもまた示されている如く、リング１１２は本体の上壁１０８と略一直線状に整列されている。従って、キャップが反転された時には、リングは追加の「基台」を提供することが出来る。
【００４４】
キャップ適用体１１０は、使用者の指の十分な輪郭がキャップ適用体１１０下側と係合することを許容するよう本体から十分に外方に突出するよう設計されている。これは、（例えば、キャップがボトルに設けられている時に）キャップを介した運搬の容易さを容易にする。
【００４５】
キャップ適用体１１０においては、隣接したアーム１１４が、リング１１２と同様に湾曲してそれらの間に細長い開口１１６を規定する。細長い開口の形成はさらに、クロージャーを「軽量化」する手助けをする。これらはまた、エレガントで審美的な最小限の外観をキャップ適用体に提供する。
【００４６】
リング１１２及びアーム１１４はともに、キャップ適用体１１０に対し寸法的な及び構造的な強度を提供するよう設計されていて、ボトル上で使用された時の厳格な性能基準にそれを合致させることを可能にしている。これ等の基準は、衝撃抵抗，「落下−試験」要求に合致する能力，摩耗−及び−割れ抵抗，その他を含む。細長い開口１１６は、ランヤードの如き物体がキャップに容易に取り付けられることを可能にする。ランヤードＬが長い期間に渡りそれに取り付けられた時、キャップ適用体１１０は「手荒な」取扱い（例えば、揺動，強い引締め，引っ張り，その他）に耐えることができるよう構成されている。
【００４７】
図５のキャップ実施形態においては、個々のアーム１１４が、本体の側壁１１６から上方にそして遠ざかり突出している。アームの個々の使用時における下側表面１２０には、人間工学的な湾曲が設けられている。個々のこのように湾曲された表面１２０は使用者の指が使用時においてそれに対し密接に受け入れられることを可能にし、さらにキャップ（そして従ってボトル）のより容易でより快適な運搬を行うことを可能にする。
【００４８】
追加的に、いたずら防止バンド（tamper band）１２２がキャップ本体１０２の下方開口端に（即ち、側壁１０６の下方縁に）破壊可能に連結されている。変形例においては、そしてキャップ適用体１１０を本体１０２と一体に形成する代わりとして、いたずら防止バンド１２２が寸法変更されることが出来、そしてキャップ適用体１１０はバンドから外に突出するよう一体に形成されることが出来る。従って、いたずら防止バンドが、キャップが取り外された時にボトル上で裏に残される形式である場合には、キャップ適用体１１０はいつでもボトルに残ることが出来る。
【００４９】
さらなる変形例においては、キャップがそこから取り外された時にキャップは一体的に形成されたつなぎ縄（tether）を介してボトル上で裏に残されたいたずら防止バンドと連結されることが出来る（即ち、それによりキャップは失われない）。キャップに対するつなぎ縄（tether）の連結は、キャップがボトルから分離されることが出来るとともにボトル上に容易に螺合されることが出来るように、つなぎ縄に関するキャップの回転（自由な回転）を許容することが出来る。
【００５０】
使用中には、キャップ１００はねじが切られているネックでボトル上に螺合され、本体１０２の下方開口端がその中にネックを受け入れてそれによりボトルの開口を閉塞する。ボトルに対するキャップ１００の取り付けの間に、いたずら防止バンド（tamper band）１２２は峰（ridge）Ｒ（図９参照）の回りを外方に変形し峰Ｒ上に乗る。峰Ｒは通常は、ボトルのネック部分の回りをボトルのネック部分から側方に外方に突出している標準的なフランジ構造の上方でボトルのネック上に配置されている。キャップが一旦ボトルに固定されてしまうと、いたずら防止バンド（tamper band）１２２は標準的なフランジに対し密接して対面した構造になる。この密接して対面した構造は、不正な開封（tampering）を抑制する。この峰は従って、いたずら防止バンドをボトルに固定し、使用時にキャップがボトルから取り外された（螺合が解除された）時に、それによりそれがキャップ本体から分離されるようになりそして裏に残される。従って、キャップ１００は、既存の又は変更されたボトルとの使用の為に適している。
【００５１】
キャップを螺合させることの変形例においては、キャップ本体１０２の内側表面が、ボトルのネックの適切に変更された外表面とのスナップ（snap），摩擦又は干渉適合係合（interference fit engagement）の為に寸法決めされるか又は（例えば、その上に顎（jaw）又はリブが形成されることにより）構成されることが出来る。
【００５２】
今度は図６のＡ乃至図６のＣを参照すると、そこでは同様な参照番号が同じ又は同様な部位を指摘する為に使用されていて、もう１つのクロージャーの実施形態がキャップ２００の形状で示されている。キャップ２００の構造の多くはキャップ１００のそれ等と同じであり、そして従って再び記載されない。
【００５３】
キャップ２００は、個々のアーム１１４´が人間工学的な湾曲を有する下側表面１２０´を備えていないことが、キャップ１００から異なっている。むしろ、個々のアームは大略的に平坦で広がった表面１２０´を規定している。再び、個々のアーム１１４´は本体の側壁１０６から上にそして遠ざかり突出しており、そしてアーム１１４´は、アーム強度を向上させ、そして従ってキャップ適用体１１０の全体の強度及び性能を向上させるよう、アーム１１４よりも多くの材料を備える（即ち、より大きな厚さを有する）。
【００５４】
今度は図７のＡ乃至図７のＣを参照すると、ここでは、同様な参照番号が同じ又は同様な部位を指摘する為に使用されていて、さらにもう１つのクロージャーの実施形態がキャップ３００の形状で示されている。また、キャップ３００の構造の多くはキャップ１００のそれ等と同じであり、そして従って再び記載されない。
【００５５】
キャップ３００は、個々のアーム１１４´´が本体の側壁１０６から上に遠ざかって突出しておらず、しかしむしろ、上壁１０８に隣接して、側壁１０６から側方の外方に突出している。キャップ３００においては、より多くの材料がアーム１１４´´から取り除かれていて、強度における幾分かの減少となるが、キャップ適用体１１０の、そして従ってキャップ３００の、軽量化を非常に増大させる。
【００５６】
図２，図３，そして図４のボトルの実施形態の夫々においては、そして、図５，図６，そして図７のキャップの実施形態においては、適用体３０，１１０がボトルが運搬されることを許容していて、それにより使用者の手がボトルの本体と接触する必要がない。結果として、ボトルの如何なる冷えた内容物も使用者の体の熱により加熱されず、そして、ボトルの如何なる暖かい／熱い内容物が使用者に伝達されない。さらには、使用者の手がボトル又はその上の蒸気の濃縮に接触しないので、使用者の手が冷たく，熱く，濡れる，又はじんわりと湿る等にならない。
【００５７】
人間工学的に形作られている表面（ボトル２０における４６及びキャップ１００における１２０）は、使用者の指の快適な係合を提供していて、それは使用者がボトルを「掴む」ことを、そして従ってボトルを運搬することをより容易にしている。更には、使用者が彼らの腕全体を使用してボトルの回りを握るのとは反対に、ボトルは長い期間を快適に運ばれることが出来る。
【００５８】
適用体３０，１１０と係合することにより、使用者は彼らの手の平を例えば鍵や，携帯電話や，財布や，食べ物の如きもう１つの物体を運搬する為に自由にしておくように、ボトルを運搬することが出来る。さらには、使用者は、同じ手の同じ又は異なった指の間に追加のボトルの適用体３０，１１０を係合させることにより、追加のボトルを運搬することが出来る。従って、複数のボトルを隣接した指の夫々の間で（即ち１つの手により）、運搬することが出来る。
【００５９】
適用体３０，１１０には、使用者の指の十分な輪郭が適用体と係合するよう十分な幅（即ち、側方突起の角度，大きさ，又は長さ）が設けられている。例えば、側方突起の大きさ又は長さはキャップ本体の幅（直径）の少なくとも１０〜２５％（例えば、図５乃至図７中に示されているキャップでは〜２１％まで）であることが出来る。
【００６０】
今度は図８のＡ乃至図８のＨを参照すると、参照番号「５００」台が採用されていて、ここにおいては、例えば参照番号５３０は、図１及び図２中で採用されていた参照番号３０と同じ又は同様の部位を指摘している。
【００６１】
図８は、ボトル又はボトルの予成形品のネック５００の為のもう１つの実施形態を示している。この実施形態においては、ネック適用体５３０がまた、使用者の指の間での使用者の指による運搬の容易を許容する為とランヤードのフックＨ（図９）を取り付けることを容易にするよう、ネック５３２から十分に外方に突出して形成されている。
【００６２】
図８中においては、ネック適用体５３０がまた、ネック５３２の回りに延出しているリング形成体５３４を備えているが、この実施形態においては、リング形成体３４は６つの等間隔に離間している別々のウエブ構造５４０によりネックから支持されている。６つのウエブ構造５４０は、その全体重量に大きく付加することなく、ネック適用体５３０の構造的な強度及び安定性を増大し、その衝撃抵抗，落下−試験性能，そして摩耗−及び−割れ抵抗を向上させる。
【００６３】
また、隣接したウエブ構造５４０がそれらの間に細長い開口５４２を規定している。しかしながら、この実施形態では、個々のウエブ構造体５４０が、増大された構造的な一体性及び強度の為に単一の比較的幅広の支持壁５４４を備えている。これに関して、支持壁５４４の幅はスリーブの幅（図８のＤ及び図８のＧ参照）に匹敵させることが出来る（例えば、それに接近させる又はそれと同じにする）。
【００６４】
また、壁５４４の個々の下側表面５４６には、使用者による中身の入ったボトルの手による運搬を強化させるよう使用者の指が使用中にそれに対して密接に受け入れられることが出来るよう、人間工学的な湾曲が設けられている。より幅の広い下側表面はまた、増大された快適性と取扱いを提供することが分かっている。
【００６５】
また、個々のウエブ構造５４０は、スリーブ５４７の外側壁５４８と、それから外方に突出するよう、一体的に形成されている。また、スリーブはネック５３２と一体的に形成されているがそれから離間されている。しかしながら、この実施形態においては、スリーブの高さは減少されていて、その結果として支持ウエブ（図２Ｆ中の物体５０）が削除されることができる。これは、強度，構造的な一体性，寸法的な安定性等を危うくすることなしで、ネックの成形をより容易にそしてより簡易にすることが分かっている。さらには、ネック適用体５３０は減少された全体の寸法を有していて、そして、従って、より少ないプラスチックを消費し、より優雅な外観を有する等を有する。
【００６６】
図８のネック適用体５３０はその他には大略的には、前述した種々の実施形態の為に記載された如くである。
【００６７】
図９中に示されている如く、開口４２，１１６（即ち、適用体３０，１１０のいずれかにおける）は、連結装置によりボトルが運搬されることを可能にしている。図９中に示されている連結装置はランヤード（lanyard）であるが、他の実施形態においては、ピン，ボルト，カラビナ（caribina），糸ひも（string），コード（cord），鎖（chain），ケーブル繋ぎ（cable tie），キーリング（key-ring），分割リング（split ring），又は如何なる他の適切な連結装置であって良い。このような連結装置は、キャップ又はボトルを、例えば、バッグ（bag），ベルトループ（belt loop），バックパック（back pack），ドア（door）又は他のノブ（knob），フック（hook）の如き如何なる適切な物品に対する容易な連結，販売時点位置（point-of-sale location）での取り付け，又は使用者に対する直接の取り付けを可能にすることが出来る。開口４２，１１６はまた、吊り下げ／取り付け貯蔵を許容できる。
【００６８】
１つの特定の適用においては、（バックパッカー（backpacker）又はハイカー（hiker），その他の如き）使用者が、このような連結装置をバッグ上のリング又はループに対し、及び又キャップ／ボトルの開口の１つに対し、連結することにより、バッグ上のリング又はループに対し飲み物のボトルを連結して良い。或いは、連結装置は、バックパッカー又はハイカーの首の回りに身に付けられているコード（cord）に連結されることが出来る。両方の場合において、一方では飲み物のボトルは容易に使用者が入手可能であり、他方では彼らのバッグ又は彼ら個人に確実に取り付けて置くことが出来る。連結装置はまた、より重いボトルを運搬し、吊り下げ、又は吊り上げることを許容することが出来る。
【００６９】
キャップ１００，２００，３００は、そこを通って流体が選択的にボトルを出る（即ち、マウスピース（mouth piece）が展開された時に）、ポップアップマウスピース（pop-up mouth piece）（時には、「スポーツ（sports）」マウスピースとして引用される），取り出し突起（dispensing projection），その他、を組み込むよう変更されることが出来る。キャップはまた、ポップアップマウスピース（pop-up mouth piece）のノズルを閉じる為のフリップトップ（flip-top），オーバーキャップ（overcap），又は着脱可能な蓋を備えて良い。
【００７０】
図５乃至図７中に示されているキャップは、上に記載されていたもの対し多数の更なる利点を提供する。１つのこのような利点は、適用体１１０が、使用者がキャップ上でそれを閉じている又は開いている間により多くの手がかり（purchase）を得ることを可能にしていることである。これは特に、小さな，弱い，又は関節炎の手及び／又は指を持った使用者の為に、ボトルの開閉をすることをより容易にするのが特別な利点である。さらには、この多くの手がかり（purchase）は、幾つかの従来のクロージャー上に設けられる必要がある、キャップ本体上の波形（corrugation），ギザギザ（knurling），その他の必要を減少又は無くす（即ち、幾つかの従来のクロージャー上の波形（corrugation）は、開口及び／又は閉塞の間、特に最初の開口において、指のやけどに介して痛みを生じさせることが出来る）。
【００７１】
適用体３０，１１０は、連結装置の使用を介して、使用者により（例えば、子供又は年を取った人々により）、より重いボトルが運搬されることを許容する。適用体３０，１１０はまた、このような人々が一つの腕で多数のボトルを運搬する（即ち、１つ又はそれ以上のボトルが隣接した指の間の空間により保持されることが出来る）ことを許容する。適用体３０，１１０はまた、例えば個々の複数のランヤード（lanyard）により、及び他方の手を自由にした状態で一方の手により、複数のボトルが運搬されることを許容する。
【００７２】
図５乃至図７のキャップ中における適用体１１０の位置は、ボトル／クロージャーの使用時における上端に基台状構造を提供するようである。これに関しては、これはボトルを上下逆転させてそれがキャップをその基台として立つことが出来ることを許容するこ戸が出来る。
【００７３】
図１乃至図８のいずれに示されている如きキャップ及びボトルのさらなる利点はそれらのマーケティング潜在力（marketing potential）である。キャップ及びボトルはユニークな（unique）な視覚的外観を有していて、従ってこのキャップ及びボトルを従来のボトル及び／又は従来のクロージャーから容易に「際立たせる（stand out）」ことが出来る。この視覚的な訴えは、対称性（symmetry）（又は非対称性（asymmetry））が適用体３０，１１０中に採用された時にさらに強調されることが出来る。異なったキャップ及びボトルのスタイル（style）もまたコレクター好み（collectable）になることが出来る（例えば、使用者は一連の全てのキャップ及びボトルを収集するのに励むことが出来る）。
【００７４】
さらには、ボトル及びキャップは、ネックにおいてキャップにより運搬されることが出来るので、ボトルが運搬されている時にボトル上の如何なるロゴ（logo），ラベル（label），又は他の模様（marking）が十分に表示される。従って、ボトル上に置かれているマーケティング物（marketing material）が、（ボトル本体が使用者の手の中で運搬されることを要求する）従来のキャップが設けられている従来のボトルに比較して、より多く露出される。
【００７５】
図５乃至図７中に示されている如きキャップ上の適用体１１０もまた、キャップが落下されてキャップが転がり去ってしまうことに対するより良い抵抗をキャップに提供する。
【００７６】
これらのキャップは、２６，２８，３５，４２ｍｍ，その他の如き、種々のン標準的なボトル飲み口（spout）寸法で使用する寸法にされることが出来る。個々のこのようなボトルのネックはまた、ネック適用体３０を支持することが出来る。また、キャップは、キャップ内から物質を解放する及びボトル中に液体内容物を放出するようにその中に物体排出機構を組み込むことが出来る。
【００７７】
５つのウエッブ形成体を伴った突出構造が示されているが、より多くの又はより少ない数のウエブ形成体が適切として採用されることが出来る。
【００７８】
ボトルは如何なる寸法であることが出来、そして、（例えば、ＰＥＴ，いわゆる「エコ（Eco）−ＰＥＴ」，の如きポリマー，ガラス，アルミニウム，プラスチックで裏打ちされた（plastic-lined）紙，その他の）種々の形式を備えることが出来る。
【００７９】
ここの中に開示されている予成形体は、単一段階及び２段階吹き込み成形工程の両方において採用されることが出来る。
【００８０】
種々のキャップ及びボトルの実施形態はまた、炭酸及び非炭酸飲料を含む、そして泡立たない（still）及び発泡性の（sparkling）水及びミネラル水（mineral water），お茶，ジュース，ミルク及びミルク飲料，健康及びエネルギー飲料，その他を含む、広範囲な種々の液体及び飲料をとともに使用されることが出来る。
【００８１】
特許請求の範囲及び前述した記載の両方においては、言葉又は必要な関係を表現する為に文脈が他を要求している場合を除き、単語「備える」及び「備える」又は「備えている」の如き変化は包含する意味で使用されている（即ち、言及された構造の存在を特定するが、ボトル及びクロージャーの種々の実施形態中におけるさらなる構造の存在又は追加を除外しない。
【図１】
2013541470.tif 000003
【図２Ａ】
2013541470.tif 000004
【図２Ｂ】
2013541470.tif 000005
【図２Ｃ】
2013541470.tif 000006
【図２Ｄ】
2013541470.tif 000007
【図２Ｅ】
2013541470.tif 000008
【図２Ｆ】
2013541470.tif 000009
【図３】
2013541470.tif 000010
【図４】
2013541470.tif 000011
【図５】
2013541470.tif 000012
【図６】
2013541470.tif 000013
【図７】
2013541470.tif 000014
【図８】
2013541470.tif 000015
【図９】
2013541470.tif 000016
【国際調査報告】
2013541470.tif 000017
2013541470.tif 000018
2013541470.tif 000019
2013541470.tif 000020